【事件の表示】
　特願２０１４−１２７７１６号「遊技機」拒絶査定不服審判事件〔平成２８年　１月１８日出願公開、特開２０１６−　　７２３６号〕について、次のとおり審決する。
【結　論】
　本件審判の請求は、成り立たない。
【理　由】
第１　手続の経緯
　本願は、平成２６年６月２０日の出願であって、平成２７年１２月１日付けで拒絶理由が通知され、平成２８年２月２日付けで手続補正がなされたが、平成２８年８月１２日付けで拒絶査定がなされ、これに対し平成２８年１１月１１日付けで拒絶査定不服審判の請求がなされるとともに、これと同時に手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１の記載を含む補正であり、平成２８年２月２日付けの手続補正と本件補正の特許請求の範囲の請求項１の記載はそれぞれ、以下のとおりである（下線部は、補正箇所を示す。）。
（補正前：平成２８年２月２日付け手続補正）
「【請求項１】
　表面を遊技球が流下可能であり、所定の厚みを有する透明な遊技パネルを備えた遊技機であって、
　前記透明な遊技パネルの裏面側に設けられた後方装飾手段と、
　前記後方装飾手段の装飾態様を変化させる装飾態様変更手段と、
を備え、
　前記透明な遊技パネルの表面には、所定の表面側絵柄が付された表面側絵柄領域と、前記表面側絵柄が付されていない表面側透明領域とが設けられ、
　前記透明な遊技パネルの裏面には、所定の裏面側絵柄が付された裏面側絵柄領域と、前記裏面側絵柄が付されていない裏面側透明領域とが設けられ、
　前記裏面側絵柄は、前記透明な遊技パネルの表面における前記表面側透明領域、あるいは、前記透明な遊技パネルの切欠き端面から透視可能であり、
　前記装飾態様変更手段は、前記透明な遊技パネルにおける前記表面側透明領域、前記裏面側透明領域、前記表面側絵柄領域、あるいは、前記裏面側絵柄領域を透して視認可能な前記後方装飾手段の装飾態様を変化させることによって、前記表面側絵柄と前記裏面側絵柄と前記後方装飾手段とによる奥行きのある複合装飾の視認態様に変化を与える
　ことを特徴とした遊技機。」
（補正後：本件補正である平成２８年１１月１１日付け手続補正）
「【請求項１】
　表面を遊技球が流下可能であり、所定の厚みを有する透明な遊技パネルを備えた遊技機であって、
　前記透明な遊技パネルの裏面側に設けられた後方装飾手段と、
　前記後方装飾手段の装飾態様を
光源の点灯状態によって
を備え、
　前記透明な遊技パネルの表面には、所定の表面側絵柄
で装飾
で装飾
　前記透明な遊技パネルの裏面には、所定の裏面側絵柄
で装飾
で装飾
　前記裏面側絵柄は、前記透明な遊技パネルの表面における前記表面側透明領域、あるいは、前記透明な遊技パネルの切欠き端面から透視可能であり、
　前記装飾態様変更手段は、前記透明な遊技パネルにおける前記表面側透明領域、前記裏面側透明領域、前記表面側絵柄領域
、
少なくとも一つを通して
　ことを特徴とした遊技機。」
２．補正の適否
　本件補正は、補正前の請求項１に記載された発明を特定するために必要な事項である「装飾態様変更手段」について「光源の点灯状態によって」との限定を付加する補正、補正前の請求項１に記載された発明を特定するために必要な事項である「表面側絵柄領域」について「所定の表面絵柄が付された」なる記載を「所定の表面側絵柄で装飾された」と限定する補正、補正前の請求項１に記載された発明を特定するために必要な事項である「表面側透明領域」について「所定の表面側絵柄が付されていない」なる記載を「所定の表面側絵柄で装飾されていない」と限定する補正、補正前の請求項１に記載された発明を特定するために必要な事項である「裏面側絵柄領域」について「所定の裏面側絵柄が付された」なる記載を「所定の裏面側絵柄で装飾された」と限定する補正、補正前の請求項１に記載された発明を特定するために必要な事項である「裏面側透明領域」について「所定の裏面側絵柄が付されていない」なる記載を「所定の裏面側絵柄で装飾されていない」と限定する補正を行うものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　そして、本件補正は新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同様第１２６条第７項の規定に適合するか否か、について以下に検討する。
（１）本件補正後の請求項１に係る発明
　補正後の請求項１に係る発明（以下、「本願補正発明」という。）は、上記１．の本件補正の概要において示した次のとおりのものである（Ａ〜Ｇは本願補正発明を分説するため当審で付与した。）。
「Ａ　表面を遊技球が流下可能であり、所定の厚みを有する透明な遊技パネルを備えた遊技機であって、
Ｂ　前記透明な遊技パネルの裏面側に設けられた後方装飾手段と、
Ｃ　前記後方装飾手段の装飾態様を光源の点灯状態によって変化させる装飾態様変更手段と、
　　を備え、
Ｄ　前記透明な遊技パネルの表面には、所定の表面側絵柄で装飾された表面側絵柄領域と、前記表面側絵柄で装飾されていない表面側透明領域とが設けられ、
Ｅ　前記透明な遊技パネルの裏面には、所定の裏面側絵柄で装飾された裏面側絵柄領域と、前記裏面側絵柄で装飾されていない裏面側透明領域とが設けられ、
Ｆ　前記裏面側絵柄は、前記透明な遊技パネルの表面における前記表面側透明領域、あるいは、前記透明な遊技パネルの切欠き端面から透視可能であり、
Ｇ　前記装飾態様変更手段は、前記透明な遊技パネルにおける前記表面側透明領域、前記裏面側透明領域、前記表面側絵柄領域、前記裏面側絵柄領域の少なくとも一つを通して視認可能な前記後方装飾手段の装飾態様を変化させることによって、前記表面側絵柄と前記裏面側絵柄と前記後方装飾手段とによる奥行きのある複合装飾の視認態様に変化を与える
　　ことを特徴とした遊技機。」
（２）先願明細書等
　本願の出願の日前の他の特許出願であって、その出願後に出願公開がされた特願２０１２−２７７４２９号（特開２０１４−１１７５８５号公報参照。以下「先願１」という。）の願書に最初に添付した明細書、特許請求の範囲又は図面（以下「先願１明細書等」という。）には、「遊技機」に関して次の事項が記載されている（下線部は当審で付与した。）。
（ア）「【０００８】
　前記課題を解決するために、本発明の遊技機は、
　所定の遊技を行うことが可能な遊技機（例えば、パチンコ遊技機１）であって、
　
光を透過可能な透光性を有する透光板（例えば、盤面板２００）を備える遊技盤（例えば、遊技盤６）
　前記透光板に遊技者側から視認可能に設けられた表示部（例えば、表示部３０１〜３０３／表示部４００，４２０，４３０，４４０，４４１）と、
　
を備え
　前記表示部は、
　
前記透光板の板厚方向（前後方向）に異なる複数の表示位置のうち第１表示位置（例えば、遊技盤面２００ａ）に設けられる第１表示部（第１表示部３０１Ａ，３０２Ａ，３０３Ａ／第１表示部４００Ａ，４２０Ａ，４３０Ａ，４４０Ａ，４４１Ａ）と、
　該第１表示位置に対し遊技者と反対側（背面側）に離れた第２表示位置（例えば、背面２００ｂ）に設けられる第２表示部（第２表示部３０１Ｂ，３０２Ｂ，３０３Ｂ／第１表示部４００Ｂ，４２０Ｂ，４３０Ｂ，４４０Ｂ，４４１Ｂ）と
　を含み、
　前記第２表示部は、遊技者が所定の視点位置（例えば、視点位置ＥＰ１，ＥＰ８／視点位置ＥＰ１０）から見たときに少なくとも一部（例えば、非視認領域Ｓ１，重畳領域Ｐ１）が前記第１表示部に対し前記透光板の板厚方向に重なる位置または面方向に近接する位置に配置されている（例えば、図６（Ａ）（Ｂ）、図８（Ａ）（Ｂ）、図１３（Ａ）（Ｂ）、図１６（Ａ）（Ｂ）参照）、
　ことを特徴としている。・・・」
（イ）「【００１９】
　本発明の手段１１の遊技機は、請求項１、手段１〜１０のいずれかに記載の遊技機であって、
　
前記遊技盤（例えば、遊技盤６）に形成される遊技領域（例えば、遊技領域７）に遊技媒体（例えば、遊技球）を発射することにより遊技を行うことが可能な遊技機（例えば、パチンコ遊技機１）であって、
　
前記透光板（例えば、盤面板２００）の遊技者側面（例えば、遊技盤面２００ａ）における前記遊技領域に対応する領域
　複数のうち前記表示部（例えば、表示部３０３）に植設される障害釘は、前記第１表示部（例えば、第１表示部３０３Ａ）を挿通するが前記第２表示部（例えば、第２表示部３０３Ｂ）に到達しない深さで植設され（例えば、図１４参照）、
　前記第１表示部において前記障害釘が植設される箇所には孔部（例えば、孔部３２０）が形成され、
　前記第２表示部において前記孔部に対応する箇所には該第２表示部（例えば、第２表示部３０３Ｂ）が形成されている、
　ことを特徴としている。」
（ウ）【００２５】
　遊技盤６は、それを構成する板状の合成樹脂板と、その合成樹脂板に取り付けられた種々の部品とを含む構造体であり、これらの詳細な構造に関しては後述することとする。
遊技盤６の前面には、打ち込まれた遊技球が流下可能な遊技領域７が形成されている
（エ）「【００７６】
  さらに、
演出制御用ＣＰＵ１２０は、出力ポート（図示略）を介してランプドライバ基板３５に対して演出用ダイオード（演出用ＬＥＤ）３９０を含む各種ＬＥＤを駆動する信号を出力する
【００７７】
　
ランプドライバ基板３５において、ＬＥＤを駆動する信号は、入力ドライバ（図示略）を介してＬＥＤドライバに入力される。ＬＥＤドライバは、駆動信号を天枠ＬＥＤ２８ａ、左枠ＬＥＤ２８ｂ、右枠ＬＥＤ２８ｃなどの枠側に設けられている各ＬＥＤに供給する。また、遊技盤側に設けられている装飾ＬＥＤ２５ａ、後述する表示用ＬＥＤ３１０に駆動信号を供給する
（オ）「【００８０】
　図３及び図４に示すように、遊技盤６は、アクリル樹脂、ポリカーボネート樹脂、メタクリル樹脂等の
透明な合成樹脂材にて形成される盤面板２００
（カ）「【０１１５】
　図８（Ａ）（Ｂ）に示すように、表示部３０２は、
透明フィルム３０４Ａに印刷された小型の星を示す第１表示部３０２Ａと、透明フィルム３０４Ｂに印刷された大型の星を示す第２表示部３０１Ｂと、から構成されている。図８（Ｂ）に示すように、第１表示部３０２Ａは遊技盤面２００ａの前面に配置され、第２表示部３０２Ｂは背面２００ｂに配置される
【０１１６】
　また、
第１表示部３０２Ａは、印刷により所定の色に着色されているが全域が透光性を有する透光部とされているとともに、第２表示部３０２Ｂを所定の割合で縮小した同形状に形成され、縮小中心が前後に一致して配置されている
第２表示部３０２Ｂも全域が透光性を有する透光部とされているとともに、「熱」という文字Ｔが印刷されている
【０１１７】
　よって、例えば、
遊技者が表示部３０２のほぼ正面に対峙する所定の視点位置ＥＰ１（実際には図中に示す視点位置よりも盤面板２００から前側に離れた位置となる）から表示部３０２を見たとき、第２表示部３０２Ｂにおいて第１表示部３０２Ａに対応する領域、詳しくは第１表示部３０２Ａの真後ろとなる文字Ｔを含む中央領域は、第１表示部３０２Ａに対し前後方向に重畳する重畳領域Ｐ１とされ、その他の周辺領域が非重畳領域Ｐ２となる
正面から見たとき、第１表示部３０２Ａを透して背面側の第２表示部３０１Ｂの例えば文字Ｔが透視できる
【０１１８】
　このように第２表示部３０２Ｂは、所定の視点位置ＥＰ１から表示部３０２を見たときに少なくとも一部が第１表示部３０２Ａに対し透光板の板厚方向、つまり、前後方向に重なる位置に配置されている。
【０１１９】
　また、盤面板２００の背面側における表示部３０２に対応する位置には、表示部３０２を背面側から照らす照明装置としての
表示用発光ダイオード（表示用ＬＥＤ）３１０が配設されたＬＥＤ基板３１１
【０１２０】
　このように構成された表示部３０２は、上記したように
表示用ＬＥＤ３１０の非発光状態では、第１表示部３０２Ａを透して背面側の第２表示部３０２Ｂの例えば文字Ｔを透視しにくい
【０１２１】
　よって、盤面板２００の背面側から透光性を有する第２表示部３０２Ｂを照らすことができるので、
表示用ＬＥＤ３１０により透光性を有する第２表示部３０２Ｂを照らすことで第２表示部３０２Ｂ、特に文字Ｔなどが見えやすくなるだけでなく、第２表示部３０２Ｂを透して同じく透光性を有する第１表示部３０２Ａが一緒に照らされることで該第１表示部３０１Ａも見えやすくなるため、双方の視認性を高めることができる
（キ）上記【００１９】の「盤面板２００）の遊技者側面（例えば、遊技盤面２００ａ）」、上記【０１１５】の「図８（Ａ）（Ｂ）に示すように、表示部３０２は、透明フィルム３０４Ａに印刷された小型の星を示す第１表示部３０２Ａと、透明フィルム３０４Ｂに印刷された大型の星を示す第２表示部３０１Ｂと、から構成されている。図８（Ｂ）に示すように、第１表示部３０２Ａは遊技盤面２００ａの前面に配置され、第２表示部３０２Ｂは背面２００ｂに配置される」、上記【０１１６】の「第２表示部３０２Ｂも全域が透光性を有する透光部とされているとともに、「熱」という文字Ｔが印刷されている」の記載を参照すると、【図８】（Ｂ）には、盤面板２００の遊技者側面である遊技盤面２００ａには第１表示部３０２Ａが配置された部分と第１表示部３０２Ａが配置されず透明フィルム３０４Ａが配置される部分とがあること、盤面板２００の背面２００ｂには第２表示部３０２Ｂが配置された部分と第２表示部３０２Ｂが配置されず透明フィルム３０４Ｂが配置される部分とがあること、および、第２表示部３０２Ｂの「熱」という文字Ｔが印刷されている部位が盤面板２００の背面２００ｂに設けられていることが図示されている。
　なお、上記【０１１５】には、「図８（Ａ）（Ｂ）に示すように、・・・透明フィルム３０４Ｂに印刷された大型の星を示す第２表示部３０１Ｂ」と、【０１１７】には、「第１表示部３０２Ａを透して背面側の第２表示部３０１Ｂの」と記載されているものの、図８（Ａ）（Ｂ）には３０２Ｂはあるが３０１Ｂはなく、【０１１６】の「第２表示部３０２Ｂ」や【０１１７】の「第２表示部３０２Ｂ」等の記載を参酌すれば、上記【０１１５】、【０１１７】の「第２表示部３０１Ｂ」は「第２表示部３０２Ｂ」の誤記であることは明らかである（以下、【０１１５】、【０１１７】の「３０１Ｂ」は「３０２Ｂ」とする）。
　同様に、上記【０１２０】には、「図８（Ｃ）（Ｄ）に示すように、表示用ＬＥＤ３１０を発光することで、表示用ＬＥＤ３１０からの光は第２表示部３０２Ｂ、盤面板２００、第１表示部３０２Ａを透過して前方に出射される」と記載され、【０１２１】には、「第２表示部３０２Ｂを透して同じく透光性を有する第１表示部３０２Ａが一緒に照らされることで該第１表示部３０１Ａも見えやすくなる」と記載されているものの、図８（Ｃ）（Ｄ）には３０２Ａはあるが３０１Ａはなく、【０１２０】の「第１表示部３０２Ａ」や【０１２１】の「第１表示部３０２Ａ」等の記載を参酌すれば、上記【０１２１】の「第１表示部３０１Ａ」は「第１表示部３０２Ａ」の誤記であることは明らかである（以下、【０１２１】の「３０１Ａ」は「３０２Ａ」とする）。
　上記（ア）〜（カ）の記載事項および上記（キ）の図示内容から、以下の事項がいえる。なお、（ａ）〜（ｇ）は、本願補正発明の構成Ａ〜Ｇに対応した事項を示している。
（ａ）上記（イ）の【００１９】には「前記遊技盤（例えば、遊技盤６）に形成される遊技領域（例えば、遊技領域７）に遊技媒体（例えば、遊技球）を発射することにより遊技を行うことが可能な遊技機（例えば、パチンコ遊技機１）であって、前記透光板（例えば、盤面板２００）の遊技者側面（例えば、遊技盤面２００ａ）における前記遊技領域に対応する領域」と記載され、上記（ウ）の【００２５】には「遊技盤６の前面には、打ち込まれた遊技球が流下可能な遊技領域７が形成されている」と記載されている。
　また、上記（ア）の【０００８】には「光を透過可能な透光性を有する透光板（例えば、盤面板２００）を備える遊技盤（例えば、遊技盤６）・・・を備え、・・・前記透光板の板厚方向（前後方向）に・・・」と記載されている。ここで、「透光板の板厚方向」と記載されていることから、透光板である盤面板２００は板厚を有しているといえる。
　そして、上記（オ）の【００８０】には「透明な合成樹脂材にて形成される盤面板２００」と記載されている。
　したがって、先願１明細書等には、
盤面板２００の遊技者側面となる遊技盤面２００ａにおける遊技領域７は遊技球が流下可能であり、板厚を有し、透明な合成樹脂材にて形成される盤面板２００を備えたパチンコ遊技機１
（ｂ）上記（オ）の【００８０】には「透明な合成樹脂材にて形成される盤面板２００」と記載され、上記（イ）の【００１９】には「前記透光板（例えば、盤面板２００）の遊技者側面（例えば、遊技盤面２００ａ）・・・」と記載されている。
　また、上記（ア）の【０００８】には「光を透過可能な透光性を有する透光板（例えば、盤面板２００）を備える遊技盤（例えば、遊技盤６）・・・を備え、・・・前記透光板の板厚方向（前後方向）に異なる複数の表示位置のうち第１表示位置（例えば、遊技盤面２００ａ）に設けられる第１表示部（第１表示部３０１Ａ，３０２Ａ，・・・）と、該第１表示位置に対し遊技者と反対側（背面側）に離れた第２表示位置（例えば、背面２００ｂ）に設けられる第２表示部（第２表示部３０１Ｂ，３０２Ｂ，・・・）と・・・」と記載されている。
　そして、上記（カ）の【０１１５】には「透明フィルム３０４Ａに印刷された小型の星を示す第１表示部３０２Ａと、透明フィルム３０４Ｂに印刷された大型の星を示す第２表示部３０２Ｂと、から構成されている。図８（Ｂ）に示すように、第１表示部３０２Ａは遊技盤面２００ａの前面に配置され、第２表示部３０２Ｂは背面２００ｂに配置される」と記載され、【０１１６】には「第２表示部３０２Ｂも全域が透光性を有する透光部とされているとともに、「熱」という文字Ｔが印刷されている」と記載されている。
　さらに、上記（キ）で言及したように、【図８】の（Ｂ）には、第２表示部３０２Ｂの「熱」という文字Ｔが印刷されている部位が盤面板２００の背面２００ｂに設けられていることが図示されている。
　したがって、先願１明細書等には、
透明な合成樹脂材にて形成される盤面板２００の背面２００ｂに設けられ、大型の星を示す第２表示部３０２Ｂの「熱」という文字Ｔが印刷されている部位
（ｃ）上記（カ）の【０１２０】には「表示用ＬＥＤ３１０の非発光状態では、第１表示部３０２Ａを透して背面側の第２表示部３０２Ｂの例えば文字Ｔを透視しにくい」と記載され、【０１２１】には「表示用ＬＥＤ３１０により透光性を有する第２表示部３０２Ｂを照らすことで第２表示部３０２Ｂ、特に文字Ｔなどが見えやすくなる」と記載されている。
　また、上記（エ）の【００７６】には「演出制御用ＣＰＵ１２０は、出力ポート（図示略）を介してランプドライバ基板３５に対して演出用ダイオード（演出用ＬＥＤ）３９０を含む各種ＬＥＤを駆動する信号を出力する」と記載され、同【００７７】には「ランプドライバ基板３５において、ＬＥＤを駆動する信号は、・・・後述する表示用ＬＥＤ３１０に駆動信号を供給する」と記載されている。
　そして、上記（キ）で言及したように、【図８】の（Ｂ）には、第２表示部３０２Ｂの「熱」という文字Ｔが印刷されている部位が盤面板２００の背面２００ｂに設けられていることが図示されている。
　したがって、先願１明細書等には、
表示用ＬＥＤ３１０の非発光状態では、第１表示部３０２Ａを透して第２表示部３０２Ｂの「熱」という文字Ｔが印刷されている部位を透視しにくいが、表示用ＬＥＤ３１０により透光性を有する第２表示部３０２Ｂを照らすことで第２表示部３０２Ｂの「熱」という文字Ｔが印刷されている部位を見えやすくなるように、この表示用ＬＥＤ３１０に駆動信号を出力する演出制御用ＣＰＵ１２０
（ｄ）上記（イ）の【００１９】には「前記透光板（例えば、盤面板２００）の遊技者側面（例えば、遊技盤面２００ａ）・・・」と記載され、上記（ア）の【０００８】には「第１表示位置（例えば、遊技盤面２００ａ）に設けられる第１表示部（第１表示部３０１Ａ，３０２Ａ，・・・）と、・・・」と記載され、上記（カ）の【０１１５】には「透明フィルム３０４Ａに印刷された小型の星を示す第１表示部３０２Ａ」および「第１表示部３０２Ａは遊技盤面２００ａの前面に配置され」と記載されている。
　また、上記（キ）で言及したように、【図８】の（Ｂ）には、盤面板２００の遊技者側面である遊技盤面２００ａには第１表示部３０２Ａが配置された部分と第１表示部３０２Ａが配置されず透明フィルム３０４Ａが配置される部分とがあることが図示されている。
　したがって、先願１明細書等には、
盤面板２００の遊技者側面である遊技盤面２００ａに、透明フィルム３０４Ａに印刷された第１表示部３０２Ａの小型の星が配置された部分と配置されていない部分とがあ
（ｅ）上記（イ）の【００１９】には「前記透光板（例えば、盤面板２００）の遊技者側面（例えば、遊技盤面２００ａ）・・・」と記載され、上記（ア）の【０００８】には「前記透光板の板厚方向（前後方向）に異なる複数の表示位置のうち第１表示位置（例えば、遊技盤面２００ａ）に設けられる第１表示部（第１表示部３０１Ａ，３０２Ａ，・・・）と、該第１表示位置に対し遊技者と反対側（背面側）に離れた第２表示位置（例えば、背面２００ｂ）に設けられる第２表示部（第２表示部３０１Ｂ，３０２Ｂ，・・・）と・・・」と記載され、上記（カ）の【０１１５】には「透明フィルム３０４Ｂに印刷された大型の星を示す第２表示部３０２Ｂ」および「第２表示部３０２Ｂは背面２００ｂに配置される」と記載されている。
　また、上記（キ）で言及したように【図８】の（Ｂ）には、盤面板２００の背面２００ｂには第２表示部３０２Ｂが配置された部分と第２表示部３０２Ｂが配置されず透明フィルム３０４Ｂが配置される部分とがあることが図示されている。
　したがって、先願１明細書等には、
盤面板２００の遊技者と反対側に離れた背面２００ｂに、透明フィルム３０４Ｂに印刷された第２表示部３０２Ｂの大型の星が配置された部分と配置されていない部分とがあ
（ｆ）上記（カ）の【０１１５】には「透明フィルム３０４Ａに印刷された小型の星を示す第１表示部３０２Ａと、透明フィルム３０４Ｂに印刷された大型の星を示す第２表示部３０１Ｂ」と記載され、【０１１７】には「遊技者が表示部３０２のほぼ正面に対峙する所定の視点位置ＥＰ１（実際には図中に示す視点位置よりも盤面板２００から前側に離れた位置となる）から表示部３０２を見たとき、第２表示部３０２Ｂにおいて第１表示部３０２Ａに対応する領域、詳しくは第１表示部３０２Ａの真後ろとなる文字Ｔを含む中央領域は、第１表示部３０２Ａに対し前後方向に重畳する重畳領域Ｐ１とされ、その他の周辺領域が非重畳領域Ｐ２となる」と記載されている。
　したがって、先願１明細書等には、
遊技者が表示部３０２のほぼ正面に対峙する所定の視点位置ＥＰ１から表示部３０２を見たとき、第２表示部３０２Ｂの大型の星には、第１表示部３０２Ａの小型の星に対し前後方向に重畳する重畳領域Ｐ１とその他の周辺領域である非重畳領域Ｐ２とがあ
（ｇ）上記（オ）の【００８０】には「透明な合成樹脂材にて形成される盤面板２００」と記載され、上記（ア）の【０００８】には「前記透光板の板厚方向（前後方向）に異なる複数の表示位置のうち第１表示位置（例えば、遊技盤面２００ａ）に設けられる第１表示部（第１表示部３０１Ａ，３０２Ａ，・・・）と、・・・」と記載され、上記（カ）の【０１１５】には「透明フィルム３０４Ａに印刷された小型の星を示す第１表示部３０２Ａ」、【０１１７】には「正面から見たとき、第１表示部３０２Ａを透して背面側の第２表示部３０２Ｂの例えば文字Ｔが透視できる」と記載され、上記（キ）で言及したように、【図８】の（Ｂ）には、盤面板２００の遊技者側面である遊技盤面２００ａには第１表示部３０２Ａが配置された部分と第１表示部３０２Ａが配置されず透明フィルム３０４Ａが配置される部分とがあること、および、第２表示部３０２Ｂの「熱」という文字Ｔが印刷されている部位が盤面板２００の背面２００ｂに設けられていることが図示されている。
　したがって、先願１明細書等には、
透明な合成樹脂材にて形成される盤面板２００の遊技盤面２００ａに設けられる第１表示部３０２Ａの小型の星が配置された部分を透して背面側の第２表示部３０２Ｂの「熱」という文字Ｔが印刷されている部位が透視でき
　また、上記（エ）の【００７６】には「演出制御用ＣＰＵ１２０は、出力ポート（図示略）を介してランプドライバ基板３５に対して演出用ダイオード（演出用ＬＥＤ）３９０を含む各種ＬＥＤを駆動する信号を出力する」と記載され、【００７７】には「ランプドライバ基板３５において、ＬＥＤを駆動する信号は、・・・後述する表示用ＬＥＤ３１０に駆動信号を供給する」と記載され、上記（カ）の【０１２１】には「表示用ＬＥＤ３１０により透光性を有する第２表示部３０２Ｂを照らすことで第２表示部３０２Ｂ、特に文字Ｔなどが見えやすくなるだけでなく、第２表示部３０２Ｂを透して同じく透光性を有する第１表示部３０２Ａが一緒に照らされることで該第１表示部３０２Ａも見えやすくなるため、双方の視認性を高めることができる」と記載されている。
　したがって、先願１明細書等には、
演出制御用ＣＰＵ１２０は、表示用ＬＥＤ３１０に駆動信号を出力して、表示用ＬＥＤ３１０により透光性を有する第２表示部３０２Ｂを照らすことで第２表示部３０２Ｂの「熱」という文字Ｔが印刷されている部位が見えやすくなるだけでなく、第２表示部３０２Ｂを透して同じく透光性を有する第１表示部３０２Ａが一緒に照らされることで該第１表示部３０２Ａの小型の星も見えやすくなる
　これらのことから、先願１明細書等には、
透明な合成樹脂材にて形成される盤面板２００の遊技盤面２００ａに設けられる第１表示部３０２Ａの小型の星が配置された部分を透して背面側の第２表示部３０２Ｂの「熱」という文字Ｔが印刷されている部位が透視でき、演出制御用ＣＰＵ１２０は、表示用ＬＥＤ３１０に駆動信号を出力して、表示用ＬＥＤ３１０により透光性を有する第２表示部３０２Ｂを照らすことで第２表示部３０２Ｂの「熱」という文字Ｔが印刷されている部位が見えやすくなるだけでなく、第２表示部３０２Ｂを透して同じく透光性を有する第１表示部３０２Ａが一緒に照らされることで該第１表示部３０２Ａの小型の星も見えやすくなる
　したがって、上記（ア）〜（カ）の記載事項、上記（キ）の図示内容、上記（ａ）〜（ｇ）認定事項を総合すれば、先願１明細書等には次の発明（以下、「先願発明１」という。）が記載されている（ａ〜ｇは先願発明１を分説するため当審で付した。）。
「ａ　盤面板２００の遊技者側面となる遊技盤面２００ａにおける遊技領域７は遊技球が流下可能であり、板厚を有し、透明な合成樹脂材にて形成される盤面板２００を備えたパチンコ遊技機１であって、
ｂ　透明な合成樹脂材にて形成される盤面板２００の背面２００ｂに設けられ、大型の星を示す第２表示部３０２Ｂの「熱」という文字Ｔが印刷されている部位と、
ｃ　表示用ＬＥＤ３１０の非発光状態では、第１表示部３０２Ａを透して第２表示部３０２Ｂの「熱」という文字Ｔが印刷されている部位を透視しにくいが、表示用ＬＥＤ３１０により透光性を有する第２表示部３０２Ｂを照らすことで第２表示部３０２Ｂの「熱」という文字Ｔが印刷されている部位を見えやすくなるように、この表示用ＬＥＤ３１０に駆動信号を出力する演出制御用ＣＰＵ１２０と、
　　を備え、
ｄ　盤面板２００の遊技者側面である遊技盤面２００ａに、透明フィルム３０４Ａに印刷された第１表示部３０２Ａの小型の星が配置された部分と配置されていない部分とがあり、
ｅ　盤面板２００の遊技者と反対側に離れた背面２００ｂに、透明フィルム３０４Ｂに印刷された第２表示部３０２Ｂの大型の星が配置された部分と配置されていない部分とがあり、
ｆ　遊技者が表示部３０２のほぼ正面に対峙する所定の視点位置ＥＰ１から表示部３０２を見たとき、第２表示部３０２Ｂの大型の星には、第１表示部３０２Ａの小型の星に対し前後方向に重畳する重畳領域Ｐ１とその他の周辺領域である非重畳領域Ｐ２とがあり、
ｇ　透明な合成樹脂材にて形成される盤面板２００の遊技盤面２００ａに設けられる第１表示部３０２Ａの小型の星が配置された部分を透して背面側の第２表示部３０２Ｂの「熱」という文字Ｔが印刷されている部位が透視でき、演出制御用ＣＰＵ１２０は、表示用ＬＥＤ３１０に駆動信号を出力して、表示用ＬＥＤ３１０により透光性を有する第２表示部３０２Ｂを照らすことで第２表示部３０２Ｂの「熱」という文字Ｔが印刷されている部位が見えやすくなるだけでなく、第２表示部３０２Ｂを透して同じく透光性を有する第１表示部３０２Ａが一緒に照らされることで該第１表示部３０２Ａの小型の星も見えやすくなる
　　パチンコ遊技機１。」
（３）対比・判断
　本願補正発明と先願発明１とを対比する。対比の見出しとしての（ａ）〜（ｇ）は先願発明１の分説構成と対応させた。
（ａ）先願発明１の「盤面板２００の遊技者側面となる遊技盤面２００ａ」は、遊技者側面ということから盤面板２００の表面であるといえるので、本願補正発明の「遊技パネルの表面」に相当する。
　また、先願発明１の「板厚を有」することは、本願補正発明の「所定の厚みを有する」ことに相当する。
　そして、先願発明１の「透明な合成樹脂材にて形成される盤面板２００」は、透明な盤面板２００であるといえるから、本願補正発明の「透明な遊技パネル」に相当する。
　さらに、先願発明１の「パチンコ遊技機１」は、本願補正発明の「遊技機」に相当する。
　したがって、先願発明１の「盤面板２００の遊技者側面となる遊技盤面２００ａにおける遊技領域７は遊技球が流下可能であり、板厚を有し、透明な合成樹脂材にて形成される盤面板２００を備えたパチンコ遊技機１」は、本願補正発明の「表面を遊技球が流下可能であり、所定の厚みを有する透明な遊技パネルを備えた遊技機」に相当する。
（ｂ）先願発明１の「盤面板２００の背面２００ｂ」は、盤面板２００の裏面といえるから、先願発明１の「透明な合成樹脂材にて形成される盤面板２００の背面２００ｂ」は、本願補正発明の「透明な遊技パネルの裏面」に相当する。
　また、先願発明１の「大型の星を示す第２表示部３０２Ｂの「熱」という文字Ｔが印刷されている部位」は、盤面板２００の背面２００ｂに設けられているから、盤面板２００の後方に位置しているといえると共に、大型の星の中に印刷され、見えやすくなったりするものであるから、装飾であるといえる。このことから、先願発明１の「大型の星を示す第２表示部３０２Ｂの「熱」という文字Ｔが印刷されている部位」は、本願補正発明の「後方装飾手段」に相当する。
　したがって、先願発明１の「透明な合成樹脂材にて形成される盤面板２００の背面２００ｂに設けられ、大型の星を示す第２表示部３０２Ｂの「熱」という文字Ｔが印刷されている部位」は、本願補正発明の「前記透明な遊技パネルの裏面側に設けられた後方装飾手段」に相当する。
（ｃ）先願発明１の「表示用ＬＥＤ３１０」は、本願補正発明の「光源」に相当する。
　また、先願発明１の「表示用ＬＥＤ３１０の非発光状態では、第１表示部３０２Ａを透して第２表示部３０２Ｂの「熱」という文字Ｔが印刷されている部位を透視しにくいが、表示用ＬＥＤ３１０により透光性を有する第２表示部３０２Ｂを照らすことで第２表示部３０２Ｂの「熱」という文字Ｔが印刷されている部位を見えやすくなる」ようにすることは、表示用ＬＥＤ３１０の発光によって、第２表示部３０２Ｂの「熱」という文字Ｔが印刷されている部位を透視しにくい状態から見えやすい状態に変化させるものであるから、本願補正発明の「前記後方装飾手段の装飾態様を光源の点灯状態によって変化させる」ことに相当する。
　そして、先願発明１の「演出制御用ＣＰＵ１２０」は、表示用ＬＥＤ３１０に駆動信号を出力しているから、表示用ＬＥＤ３１０の非発光、発光を変更している手段であるといえるので、本願補正発明の「装飾態様変更手段」に相当する。
　したがって、先願発明１の「表示用ＬＥＤ３１０の非発光状態では、第１表示部３０２Ａを透して第２表示部３０２Ｂの「熱」という文字Ｔが印刷されている部位を透視しにくいが、表示用ＬＥＤ３１０により透光性を有する第２表示部３０２Ｂを照らすことで第２表示部３０２Ｂの「熱」という文字Ｔが印刷されている部位を見えやすくなるように、この表示用ＬＥＤ３１０に駆動信号を出力する演出制御用ＣＰＵ１２０」は、本願補正発明の「前記後方装飾手段の装飾態様を光源の点灯状態によって変化させる装飾態様変更手段」の機能を備える。
（ｄ）先願発明１の「第１表示部３０２Ａの小型の星」は、盤面板２００の遊技者側面である遊技盤面２００ａ側に配置されており、この小型の星は絵柄であるといえるから、本願補正発明の「表面側絵柄」に相当する。
　また、先願発明１の「盤面板２００の遊技者側面である遊技盤面２００ａに、透明フィルム３０４Ａに印刷された第１表示部３０２Ａの小型の星が配置された部分」は、小型の星により装飾されているといえるから、本願補正発明の「表面側絵柄で装飾された表面側絵柄領域」に相当する。
　そして、先願発明１の「盤面板２００の遊技者側面である遊技盤面２００ａに、透明フィルム３０４Ａに印刷された第１表示部３０２Ａの小型の星が」「配置されていない部分」は、本願補正発明の「前記表面側絵柄で装飾されていない表面側透明領域」に相当する。
　したがって、先願発明１の「盤面板２００の遊技者側面である遊技盤面２００ａに、透明フィルム３０４Ａに印刷された第１表示部３０２Ａの小型の星が配置された部分と配置されていない部分」は、本願補正発明の「前記透明な遊技パネルの表面には、所定の表面側絵柄で装飾された表面側絵柄領域と、前記表面側絵柄で装飾されていない表面側透明領域」に相当する。
（ｅ）先願発明１の「第２表示部３０２Ｂの大型の星」は、盤面板２００の遊技者と反対側に離れた背面２００ｂ側に配置されており、この大型の星は絵柄であるといえるから、本願補正発明の「裏面側絵柄」に相当する。
　また、先願発明１の「盤面板２００の遊技者と反対側に離れた背面２００ｂに、透明フィルム３０４Ｂに印刷された第２表示部３０２Ｂの大型の星が配置された部分」は、大型の星により装飾されているといえるから、本願補正発明の「裏面側絵柄で装飾された裏面側絵柄領域」に相当する。
　そして、先願発明１の「盤面板２００の遊技者と反対側に離れた背面２００ｂに、透明フィルム３０４Ｂに印刷された第２表示部３０２Ｂの大型の星が」「配置されていない部分」は、本願補正発明の「前記裏面側絵柄で装飾されていない裏面側透明領域」に相当する。
　したがって、先願発明１の「盤面板２００の遊技者と反対側に離れた背面２００ｂに、透明フィルム３０４Ｂに印刷された第２表示部３０２Ｂの大型の星が配置された部分と配置されていない部分」は、本願補正発明の「前記透明な遊技パネルの裏面には、所定の裏面側絵柄で装飾された裏面側絵柄領域と、前記裏面側絵柄で装飾されていない裏面側透明領域」に相当する。
（ｆ）先願発明１の「遊技者が表示部３０２のほぼ正面に対峙する所定の視点位置ＥＰ１から表示部３０２を見たとき、第２表示部３０２Ｂの大型の星には、第１表示部３０２Ａの小型の星に対し前後方向に重畳する重畳領域Ｐ１とその他の周辺領域である非重畳領域Ｐ２とがあ」ることから、第２表示部３０２Ｂの大型の星の非重畳領域Ｐ２は、第１表示部３０２Ａの小型の星とは重畳していないので、盤面板２００の遊技者側面である遊技盤面２００ａに第１表示部３０２Ａの小型の星が配置されていない部分から遊技者は視認できるといえる。
　したがって、上記（ｅ）において言及したように、先願発明１の「第２表示部３０２Ｂの大型の星」は、本願補正発明の「裏面側絵柄」に相当し、上記（ｄ）において言及したように、先願発明１の「透明フィルム３０４Ａに印刷された第１表示部３０２Ａの小型の星が」「配置されていない部分」は、本願補正発明の「前記表面側絵柄で装飾されていない表面側透明領域」に相当するから、先願発明１の「遊技者が表示部３０２のほぼ正面に対峙する所定の視点位置ＥＰ１から表示部３０２を見たとき、第２表示部３０２Ｂの大型の星には、第１表示部３０２Ａの小型の星に対し前後方向に重畳する重畳領域Ｐ１とその他の周辺領域である非重畳領域Ｐ２とがあ」ることは、本願補正発明の「前記裏面側絵柄は、前記透明な遊技パネルの表面における前記表面側透明領域から透視可能であ」ることに相当する。
（ｇ）先願発明１の「透明な合成樹脂材にて形成される盤面板２００の遊技盤面２００ａに設けられる第１表示部３０２Ａの小型の星が配置された部分を透して背面側の第２表示部３０２Ｂの「熱」という文字Ｔが印刷されている部位が透視でき、演出制御用ＣＰＵ１２０は、表示用ＬＥＤ３１０に駆動信号を出力して、表示用ＬＥＤ３１０により透光性を有する第２表示部３０２Ｂを照らすことで第２表示部３０２Ｂの「熱」という文字Ｔが印刷されている部位が見えやすくなる」ことは、透明な合成樹脂材にて形成される盤面板２００の遊技盤面２００ａに設けられる第１表示部３０２Ａの小型の星が配置された部分を透して透視できる背面側の第２表示部３０２Ｂの「熱」という文字Ｔが印刷されている部位が見えやすくなることといえると共に、この先願発明１の「第２表示部３０２Ｂの「熱」という文字Ｔが印刷されている部位が見えやすくなる」ことは、第２表示部３０２Ｂの「熱」という文字Ｔが印刷されている部位が見える様子が変化しているといえるから、本願補正発明の「前記後方装飾手段の装飾態様を変化させること」に相当する。これらのことから、先願発明１の「透明な合成樹脂材にて形成される盤面板２００の遊技盤面２００ａに設けられる第１表示部３０２Ａの小型の星が配置された部分を透して背面側の第２表示部３０２Ｂの「熱」という文字Ｔが印刷されている部位が透視でき、演出制御用ＣＰＵ１２０は、表示用ＬＥＤ３１０に駆動信号を出力して、表示用ＬＥＤ３１０により透光性を有する第２表示部３０２Ｂを照らすことで第２表示部３０２Ｂの「熱」という文字Ｔが印刷されている部位が見えやすくなる」ことは、本願補正発明の「前記透明な遊技パネルにおける前記表面側絵柄領域を通して視認可能な前記後方装飾手段の装飾態様を変化させる」ことに相当する。
　また、先願発明１の「第１表示部３０２Ａの小型の星が配置された部分を透して背面側の第２表示部３０２Ｂの「熱」という文字Ｔが印刷されている部位が透視でき」ることから、第２表示部３０２Ｂの大型の星と第２表示部３０２Ｂの「熱」という文字Ｔが印刷されている部位とは、該第１表示部３０２Ａの小型の星に対して盤面板２００の背面側に位置しており、第１表示部３０２Ａの小型の星と第２表示部３０２Ｂの大型の星と第２表示部３０２Ｂの「熱」という文字Ｔが印刷されている部位とは奥行きのある複数の装飾であるといえるので、先願発明１の「第２表示部３０２Ｂの「熱」という文字Ｔが印刷されている部位が見えやすくなるだけでなく、第２表示部３０２Ｂを透して同じく透光性を有する第１表示部３０２Ａが一緒に照らされることで該第１表示部３０２Ａの小型の星も見えやすくなる」ことは、第１表示部３０２Ａの小型の星と第２表示部３０２Ｂの大型の星と第２表示部３０２Ｂの「熱」という文字Ｔが印刷されている部位とによる奥行きのある複数の装飾の見える様子も変化しているといえる。このことから、先願発明１の「表示用ＬＥＤ３１０により透光性を有する第２表示部３０２Ｂを照らすことで第２表示部３０２Ｂの「熱」という文字Ｔが印刷されている部位が見えやすくなるだけでなく、第２表示部３０２Ｂを透して同じく透光性を有する第１表示部３０２Ａが一緒に照らされることで該第１表示部３０２Ａの小型の星も見えやすくなる」ことは、本願補正発明の「前記表面側絵柄と前記裏面側絵柄と前記後方装飾手段とによる奥行きのある複合装飾の視認態様に変化を与える」ことに相当する。
　したがって、上記（ｃ）において言及したように、先願発明１の「演出制御用ＣＰＵ１２０」は、本願補正発明の「装飾態様変更手段」に相当するから、先願発明１の「透明な合成樹脂材にて形成される盤面板２００の遊技盤面２００ａに設けられる第１表示部３０２Ａの小型の星が配置された部分を透して背面側の第２表示部３０２Ｂの「熱」という文字Ｔが印刷されている部位が透視でき、演出制御用ＣＰＵ１２０は、表示用ＬＥＤ３１０に駆動信号を出力して、表示用ＬＥＤ３１０により透光性を有する第２表示部３０２Ｂを照らすことで第２表示部３０２Ｂの「熱」という文字Ｔが印刷されている部位が見えやすくなるだけでなく、第２表示部３０２Ｂを透して同じく透光性を有する第１表示部３０２Ａが一緒に照らされることで該第１表示部３０２Ａの小型の星も見えやすくなる」ことは、本願補正発明の「前記装飾態様変更手段は、前記透明な遊技パネルにおける前記表面側絵柄領域を通して視認可能な前記後方装飾手段の装飾態様を変化させることによって、前記表面側絵柄と前記裏面側絵柄と前記後方装飾手段とによる奥行きのある複合装飾の視認態様に変化を与える」ことに相当する。
　上記（ａ）〜（ｇ）の検討より、本願補正発明と先願発明１とは、
「Ａ　表面を遊技球が流下可能であり、所定の厚みを有する透明な遊技パネルを備えた遊技機であって、
Ｂ　前記透明な遊技パネルの裏面側に設けられた後方装飾手段と、
Ｃ　前記後方装飾手段の装飾態様を光源の点灯状態によって変化させる装飾態様変更手段と、
　　を備え、
Ｄ　前記透明な遊技パネルの表面には、所定の表面側絵柄で装飾された表面側絵柄領域と、前記表面側絵柄で装飾されていない表面側透明領域とが設けられ、
Ｅ　前記透明な遊技パネルの裏面には、所定の裏面側絵柄で装飾された裏面側絵柄領域と、前記裏面側絵柄で装飾されていない裏面側透明領域とが設けられ、
Ｆ　前記裏面側絵柄は、前記透明な遊技パネルの表面における前記表面側透明領域、あるいは、前記透明な遊技パネルの切欠き端面から透視可能であり、
Ｇ　前記装飾態様変更手段は、前記透明な遊技パネルにおける前記表面側透明領域、前記裏面側透明領域、前記表面側絵柄領域、前記裏面側絵柄領域の少なくとも一つを通して視認可能な前記後方装飾手段の装飾態様を変化させることによって、前記表面側絵柄と前記裏面側絵柄と前記後方装飾手段とによる奥行きのある複合装飾の視認態様に変化を与える
　　遊技機。」
である点で一致し、両者の間に相違点はない。
　なお、審判請求人は審判請求書において、本願補正発明と特願２０１３−１３５４０３号（特開２０１５−００８８２３号公報参照。後述の先願２）に記載された発明とを対比して相違点について主張しているが、本願補正発明の独立特許要件の判断には、先願１を用いており対比対象が異なるため請求人の主張は採用できない。
（４）小括
　よって、本願補正発明は先願発明１と同一であり、しかも、本願補正発明の発明者がその先願発明１の発明者と同一ではなく、また本願の出願の時において、その出願人が上記先願の出願人と同一でもないので、本願補正発明は特許法第２９条の２の規定により、特許出願の際独立して特許を受けることができないものである。
４．むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明
　本件補正（平成２８年１１月１１日付け手続補正）は、上記第２のとおり却下されたので、本願の請求項１に係る発明（以下、「本願発明」という。）は、平成２８年２月２日付けの手続補正書により補正された、上記第２の１．で前述した特許請求の範囲の請求項１に記載された事項により特定される次のとおりのものである（Ａ〜Ｇは本願発明を分説するため当審で付与した。）。
「Ａ　表面を遊技球が流下可能であり、所定の厚みを有する透明な遊技パネルを備えた遊技機であって、
Ｂ　前記透明な遊技パネルの裏面側に設けられた後方装飾手段と、
Ｃ　前記後方装飾手段の装飾態様を変化させる装飾態様変更手段と、
　　を備え、
Ｄ　前記透明な遊技パネルの表面には、所定の表面側絵柄が付された表面側絵柄領域と、前記表面側絵柄が付されていない表面側透明領域とが設けられ、
Ｅ　前記透明な遊技パネルの裏面には、所定の裏面側絵柄が付された裏面側絵柄領域と、前記裏面側絵柄が付されていない裏面側透明領域とが設けられ、
Ｆ　前記裏面側絵柄は、前記透明な遊技パネルの表面における前記表面側透明領域、あるいは、前記透明な遊技パネルの切欠き端面から透視可能であり、
Ｇ　前記装飾態様変更手段は、前記透明な遊技パネルにおける前記表面側透明領域、前記裏面側透明領域、前記表面側絵柄領域、あるいは、前記裏面側絵柄領域を透して視認可能な前記後方装飾手段の装飾態様を変化させることによって、前記表面側絵柄と前記裏面側絵柄と前記後方装飾手段とによる奥行きのある複合装飾の視認態様に変化を与える
　　ことを特徴とした遊技機。」
１．先願明細書等
　原査定の拒絶の理由で引用された、本願の出願の日前の他の特許出願であって、その出願後に出願公開がされた特願２０１３−１３５４０３号（特開２０１５−００８８２３号公報参照。以下「先願２」という。）の願書に最初に添付した明細書、特許請求の範囲又は図面（以下「先願２明細書等」という。）には、「遊技機」に関して次の事項が図面とともに記載されている（下線部は当審で付与した。）。
（ア）「【００１８】
　まず、実施例のパチンコ機１０について説明する。
図１はパチンコ機１０（遊技機）の外観を示す外観斜視図であり、図２はパチンコ機１０の遊技盤３０の構成の概略を示す構成図である
（イ）「【００２３】
　［遊技盤３０の構成］
　
遊技盤３０は、図２に示すように、透明のアクリル素材で形成され各種絵柄などが描かれた平板状のアクリル板５０に、
（ウ）「【００２６】
　アクリル板５０の表面５０ａには、図４に示すように、樹木から舞い散る花びらを描いた第１表面絵柄５２がアクリル板５０の上部から左中央部にかけて設けられ、キャラクタを描いた第２表面絵柄５４がアクリル板５０の左下部に設けられ、
扇子（扇）を描いた第３表面絵柄５６
【００２７】
　アクリル板５０の裏面５０ｂには、図５に示すように、第１表面絵柄５２と同様に花びらを描いた第１裏面絵柄６１がアクリル板５０の左中央部に設けられ、鏡面が表面５０ａ側を向いた第１鏡６２がアクリル板５０の左中央部に設けられ、鏡面が表面５０ａ側を向いた第２鏡６４がアクリル板５０の左下部に設けられ、
キャラクタを描いた第２裏面絵柄６５
扇子の影を模した影絵柄として描かれた第３裏面絵柄６６
・・・
【００３１】
　続いて、図８に基づいてアクリル板５０の右中央部の詳細について説明する。なお、図８（ａ）は、図３のＣ−Ｃ断面を示す断面図であり、図８（ｂ）は、アクリル板５０の右中央部の拡大斜視図である。ここで、
裏面５０ｂの第３裏面絵柄６６は、表面５０ａの第３表面絵柄５６の背後に位置しており、
この第３表面絵柄５６は、アクリル板５０の厚みｔだけ第３裏面絵柄６６と離れている分、第３裏面絵柄６６（裏面５０ｂ）から浮き出たように見えるから、第３表面絵柄５６の立体感を高めることができる
（エ）「【００３４】
　また、実施例のパチンコ機１０によれば、装飾効果だけでなく、次のような効果を奏するものとなる。ここで、
遊技領域３１を遊技球が流下する際には、遊技球がアクリル板５０の表面５０ａと摩擦接触して
【００３５】
　実施例の
パチンコ機１０では、アクリル板５０の裏面５０ｂに影絵柄として設けられる第３裏面絵柄６６を印刷やシール貼り付けなどにより裏面５０ｂに固定したが、これに限られず、影絵柄として設けられる裏面絵柄を板状部材などの装飾部材でアクリル板５０とは別に構成して移動可能としてもよい。図９に変形例の第３裏面絵柄１６６の構成を示す
第３裏面絵柄１６６が設けられた装飾部材の要１６６ａに駆動用モータ９５の駆動軸が接続されており、駆動用モータ９５の駆動によって第３裏面絵柄１６６（装飾部材）が要１６６ａを中心に回転移動するよう構成されている
【００３６】
　このように構成した第３裏面絵柄１６６が回転移動する様子を図１０に示す。図示するように、所定の初期位置（図１０（ａ））から、時間の経過と共に徐々に回転移動して（図１０（ｂ）〜（ｃ））、所定の停止位置で停止する（図１０（ｄ））。なお、所定の停止位置に到達すると、逆回転して初期位置に戻るもの（さらに往復動作を繰り返すもの）などとしてもよい。・・・あるいは、演出表示装置３４で行われる演出の内容に合わせて第３裏面絵柄１６６を移動させてもよい。例えば、演出表示装置３４の演出として、
昼間の場面の演出と夜の場面の演出とを行う場合には、昼間の演出中は第３裏面絵柄１６６を移動させて影を出し、夜の演出中は第３裏面絵柄１６６を第３表面絵柄６６と重なる位置として（移動させずに）影を出さないものなどとしてもよい
（オ）「【００５２】
　・・・、５０  アクリル板、５０ａ  表面、５０ｂ  裏面、・・・、５６  第３表面絵柄、・・・、６５  第２裏面絵柄、６６，１６６  第３裏面絵柄、・・・、ｔ  厚み。」
（カ）上記（オ）の【００５２】の記載を参照すると、【図９】には、アクリル板５０は厚みｔを有していること、アクリル板５０の表面５０ａには第３表面絵柄５６が設けられた領域とこの第３表面絵柄５６が設けられていない領域とが設けられていること、アクリル板５０の裏面５０ｂには第２裏面絵柄６５が設けられた領域とこの第２裏面絵柄６５が設けられていない領域とが設けられていること、該第２裏面絵柄６５のアクリル板５０の表面５０ａ側は第３表面絵柄５６が設けられていない領域であること、および、アクリル板５０の裏面５０ｂ側には第３裏面絵柄１６６が設けられていることがそれぞれ図示されている。
　上記（ア）〜（オ）の記載事項および上記（カ）の図示内容から、以下の事項がいえる。なお、（ａ）〜（ｇ）は、本願発明の構成Ａ〜Ｇに対応した事項を示している。
（ａ）上記（エ）の【００３４】には「遊技領域３１を遊技球が流下する際には、遊技球がアクリル板５０の表面５０ａと摩擦接触して」と記載されている。
　また、上記（カ）で言及したように図９には、厚みｔを有するアクリル板５０が図示されている。
　そして、上記（イ）の【００２３】には「遊技盤３０は、図２に示すように、透明のアクリル素材で形成され各種絵柄などが描かれた平板状のアクリル板５０に、・・・」と記載されていることから、アクリル板５０は透明であるといえる。
　さらに、上記（ア）の【００１８】には「図１はパチンコ機１０（遊技機）の外観を示す外観斜視図であり、図２はパチンコ機１０の遊技盤３０の構成の概略を示す構成図である」と記載されている。
　したがって、先願２明細書等には、
遊技球がアクリル板５０の表面５０ａと摩擦接触して流下し、厚みｔを有する透明なアクリル板５０を備えるパチンコ機１０
（ｂ）上記（カ）で言及したように図９には、アクリル板５０の裏面５０ｂ側には第３裏面絵柄１６６が設けられていることが図示されている。
　また、上記（エ）の【００３５】には「パチンコ機１０では、アクリル板５０の裏面５０ｂに影絵柄として設けられる第３裏面絵柄６６を印刷やシール貼り付けなどにより裏面５０ｂに固定したが、これに限られず、影絵柄として設けられる裏面絵柄を板状部材などの装飾部材でアクリル板５０とは別に構成して移動可能としてもよい。図９に変形例の第３裏面絵柄１６６の構成を示す」と記載されている。
　そして、上記（ウ）の【００２７】には「扇子の影を模した影絵柄として描かれた第３裏面絵柄６６」と記載されている。
　したがって、先願２明細書等には、
アクリル板５０の裏面５０ｂ側に設けられている扇子の影を模した影絵柄として描かれた第３裏面絵柄１６６
（ｃ）上記（エ）の【００３５】には「パチンコ機１０では、アクリル板５０の裏面５０ｂに影絵柄として設けられる第３裏面絵柄６６を印刷やシール貼り付けなどにより裏面５０ｂに固定したが、これに限られず、影絵柄として設けられる裏面絵柄を板状部材などの装飾部材でアクリル板５０とは別に構成して移動可能としてもよい。図９に変形例の第３裏面絵柄１６６の構成を示す」と記載され、「第３裏面絵柄１６６が設けられた装飾部材の要１６６ａに駆動用モータ９５の駆動軸が接続されており、駆動用モータ９５の駆動によって第３裏面絵柄１６６（装飾部材）が要１６６ａを中心に回転移動するよう構成されている」と記載されている。
　したがって、先願２明細書等には、
第３裏面絵柄１６６が要１６６ａを中心に回転移動するように駆動する駆動用モータ９５
（ｄ）上記（カ）で言及したように図９には、アクリル板５０の表面５０ａには第３表面絵柄５６が設けられた領域とこの第３表面絵柄５６が設けられていない領域とが設けられていることが図示されている。
　また、上記（ウ）の【００２６】には「扇子（扇）を描いた第３表面絵柄５６」と記載されている。
　したがって、先願２明細書等には、
アクリル板５０の表面５０ａには、扇子を描いた第３表面絵柄５６が設けられた領域と設けられていない領域とが設けられ
（ｅ）上記（カ）で言及したように図９には、アクリル板５０の裏面５０ｂには第２裏面絵柄６５が設けられた領域とこの第２裏面絵柄６５が設けられていない領域とが設けられていることが図示されている。
　また、上記（ウ）の【００２７】には「キャラクタを描いた第２裏面絵柄６５」と記載されている。
　したがって、先願２明細書等には、
アクリル板５０の裏面５０ｂには、キャラクタを描いた第２裏面絵柄６５が設けられた領域と設けられていない領域とが設けられ
（ｆ）上記（カ）で言及したように図９には、第２裏面絵柄６５のアクリル板５０の表面５０ａ側は第３表面絵柄５６が設けられていない領域であることが図示されており、上記（イ）の【００２３】には「透明のアクリル素材で形成され各種絵柄などが描かれた平板状のアクリル板５０」と記載されているようにアクリル板５０は透明であるといえるから、第２裏面絵柄６５は、アクリル板５０の表面５０ａ側の第３表面絵柄５６が設けられていない領域から透視できるといえる。
　したがって、先願２明細書等には、
第２裏面絵柄６５は、アクリル板５０の表面５０ａ側の第３表面絵柄５６が設けられていない領域から透視でき
（ｇ）上記（ウ）の【００３１】には「裏面５０ｂの第３裏面絵柄６６は、表面５０ａの第３表面絵柄５６の背後に位置しており、・・・この第３表面絵柄５６は、アクリル板５０の厚みｔだけ第３裏面絵柄６６と離れている分、第３裏面絵柄６６（裏面５０ｂ）から浮き出たように見えるから、第３表面絵柄５６の立体感を高めることができる」と記載され、上記（エ）の【００３５】には「パチンコ機１０では、アクリル板５０の裏面５０ｂに影絵柄として設けられる第３裏面絵柄６６を印刷やシール貼り付けなどにより裏面５０ｂに固定したが、これに限られず、影絵柄として設けられる裏面絵柄を板状部材などの装飾部材でアクリル板５０とは別に構成して移動可能としてもよい。図９に変形例の第３裏面絵柄１６６の構成を示す」と記載されている。
　また、上記（カ）で言及したように、図９には、アクリル板５０の表面５０ａには第３表面絵柄５６が設けられた領域とこの第３表面絵柄５６が設けられていない領域とが設けられていること、アクリル板５０の裏面５０ｂには第２裏面絵柄６５が設けられた領域とこの第２裏面絵柄６５が設けられていない領域とが設けられていること、および、アクリル板５０の裏面５０ｂ側には第３裏面絵柄１６６が設けられていることがそれぞれ図示されている。
　そして、上記（エ）の【００３６】には「昼間の演出中は第３裏面絵柄１６６を移動させて影を出し」と記載され、上記（カ）で言及したように図９には、アクリル板５０の表面５０ａには第３表面絵柄５６が設けられた領域とこの第３表面絵柄５６が設けられていない領域とが設けられていることが図示されているから、第３裏面絵柄１６６はアクリル板５０の表面５０ａ側の第３表面絵柄５６が設けられていない領域から透視できるといえる。
　さらに、上記（エ）の【００３５】には「第３裏面絵柄１６６が設けられた装飾部材の要１６６ａに駆動用モータ９５の駆動軸が接続されており、駆動用モータ９５の駆動によって第３裏面絵柄１６６（装飾部材）が要１６６ａを中心に回転移動するよう構成されている」ことが記載され、【００３６】に「昼間の演出中は第３裏面絵柄１６６を移動させて影を出し、夜の演出中は第３裏面絵柄１６６を第３表面絵柄６６と重なる位置として（移動させずに）影を出さないものなどとしてもよい」ことが記載されている。
　なお、上記【００３６】には、「・・・図１０に示す。図示するように、・・・夜の演出中は第３裏面絵柄１６６を第３表面絵柄６６と重なる位置として・・・」と記載されているものの、図１０には５６はあるが６６はなく、【００２６】の「第３表面絵柄５６」、【００３１】の「第３表面絵柄５６」等の記載を参酌すれば、上記【００３６】の「第３表面絵柄６６」は「第３表面絵柄５６」の誤記であることは明らかである。
　したがって、先願２明細書等には、
第３表面絵柄５６はアクリル板５０の厚みｔだけ第３裏面絵柄１６６と離れており、アクリル板５０の表面５０ａには第３表面絵柄５６が設けられ、裏面５０ｂには第２裏面絵柄６５および第３裏面絵柄１６６が設けられており、第３裏面絵柄１６６はアクリル板５０の表面５０ａの第３表面絵柄５６が設けられていない領域から透視でき、駆動用モータ９５の駆動によって第３裏面絵柄１６６が回転移動するよう構成され、昼間の演出中は第３裏面絵柄１６６を移動させて影を出し、夜の演出中は第３裏面絵柄１６６を第３表面絵柄５６と重なる位置として影を出さないようにする
　したがって、上記（ア）〜（オ）の記載事項、上記（カ）の図示内容、上記（ａ）〜（ｇ）認定事項を総合すれば、先願２明細書等には次の発明（以下、「先願発明２」という。）が記載されている（ａ〜ｇは先願発明２を分説するため当審で付した。）。
「ａ　遊技球がアクリル板５０の表面５０ａと摩擦接触して流下し、厚みｔを有する透明なアクリル板５０を備えるパチンコ機１０であって、
ｂ　アクリル板５０の裏面５０ｂ側に設けられている扇子の影を模した影絵柄として描かれた第３裏面絵柄１６６と、
ｃ　第３裏面絵柄１６６が要１６６ａを中心に回転移動するように駆動する駆動用モータ９５と、
ｄ　アクリル板５０の表面５０ａには、扇子を描いた第３表面絵柄５６が設けられた領域と設けられていない領域とが設けられ、
ｅ　アクリル板５０の裏面５０ｂには、キャラクタを描いた第２裏面絵柄６５が設けられた領域と設けられていない領域とが設けられ、
ｆ　第２裏面絵柄６５は、アクリル板５０の表面５０ａ側の第３表面絵柄５６が設けられていない領域から透視でき、
ｇ　第３表面絵柄５６はアクリル板５０の厚みｔだけ第３裏面絵柄１６６と離れており、アクリル板５０の表面５０ａには第３表面絵柄５６が設けられ、裏面５０ｂには第２裏面絵柄６５および第３裏面絵柄１６６が設けられており、第３裏面絵柄１６６はアクリル板５０の表面５０ａの第３表面絵柄５６が設けられていない領域から透視でき、駆動用モータ９５の駆動によって第３裏面絵柄１６６が回転移動するよう構成され、昼間の演出中は第３裏面絵柄１６６を移動させて影を出し、夜の演出中は第３裏面絵柄１６６を第３表面絵柄５６と重なる位置として影を出さないようにする
　　パチンコ機１０。」
２．対比・判断
　本願発明と先願発明２とを対比する。対比の見出しとしての（ａ）〜（ｇ）は先願発明２の分説構成と対応させた。
（ａ）先願発明２の「アクリル板５０」、「パチンコ機１０」は、それぞれ本願発明の「遊技パネル」、「遊技機」に相当する。
　したがって、先願発明２の「遊技球がアクリル板５０の表面５０ａと摩擦接触して流下し、厚みｔを有する透明なアクリル板５０を備えるパチンコ機１０」は、本願発明の「表面を遊技球が流下可能であり、所定の厚みを有する透明な遊技パネルを備えた遊技機」に相当する。
（ｂ）先願発明２の「扇子の影を模した影絵柄として描かれた第３裏面絵柄１６６」は、扇子の影を模した影絵柄であるので装飾であるといえ、また、第３裏面絵柄１６６はアクリル板５０の裏面５０ｂ側に設けられるので、アクリル板５０の後方に位置する装飾であるといえるから、本願発明の「後方装飾手段」に相当する。
　したがって、先願発明２の「アクリル板５０の裏面５０ｂ側に設けられている扇子の影を模した影絵柄として描かれた第３裏面絵柄１６６」は、本願発明の「前記透明な遊技パネルの裏面側に設けられた後方装飾手段」に相当する。
（ｃ）先願発明２の「第３裏面絵柄１６６が要１６６ａを中心に回転移動する」ことは、第３裏面絵柄１６６が回転移動することによって見える様子が変化するといえるから、本願発明の「後方装飾手段の装飾態様を変化させる」ことに相当する。
　また、先願発明２の「駆動用モータ９５」は、第３裏面絵柄１６６を回転移動させて見える様子を変化させる手段であるといえるから、本願発明の「装飾態様変更手段」に相当する。
　したがって、先願発明２の「第３裏面絵柄１６６が要１６６ａを中心に回転移動するように駆動する駆動用モータ９５」は、本願発明の「前記後方装飾手段の装飾態様を変化させる装飾態様変更手段」に相当する。
（ｄ）先願発明２の「扇子を描いた第３表面絵柄５６」は、アクリル板５０の表面５０ａに設けられているから、本願発明の「表面側絵柄」に相当する。
　また、先願発明２の「扇子を描いた第３表面絵柄５６が」「設けられていない領域」は、アクリル板５０の表面５０ａ側であり、アクリル板が透明であることから透明の領域であるといえるから、本願発明の「前記表面側絵柄が付されていない表面側透明領域」に相当する。
　したがって、先願発明２の「アクリル板５０の表面５０ａには、扇子を描いた第３表面絵柄５６が設けられた領域と設けられていない領域」は、本願発明の「前記透明な遊技パネルの表面には、所定の表面側絵柄が付された表面側絵柄領域と、前記表面側絵柄が付されていない表面側透明領域」に相当する。
（ｅ）先願発明２の「キャラクタを描いた第２裏面絵柄６５」は、アクリル板５０の裏面５０ｂに設けられているから、本願発明の「裏面側絵柄」に相当する。
　また、先願発明２の「キャラクタを描いた第２裏面絵柄６５が」「設けられていない領域」は、アクリル板５０の裏面５０ｂ側であり、アクリル板が透明であることから透明の領域であるといえるから、本願発明の「前記裏面側絵柄が付されていない裏面側透明領域」に相当する。
　したがって、先願発明２の「アクリル板５０の裏面５０ｂには、キャラクタを描いた第２裏面絵柄６５が設けられた領域と設けられていない領域」は、本願発明の「前記透明な遊技パネルの裏面には、所定の裏面側絵柄が付された裏面側絵柄領域と、前記裏面側絵柄が付されていない裏面側透明領域」に相当する。
（ｆ）上記（ｅ）において言及したように、先願発明２の「第２裏面絵柄６５」は本願発明の「裏面側絵柄」に相当し、上記(ｄ)において言及したように、先願発明２の「第３表面絵柄５６が」「設けられていない領域」は本願発明の「前記表面側絵柄が付されていない表面側透明領域」に相当するから、先願発明２の「第２裏面絵柄６５は、アクリル板５０の第３表面絵柄５６が設けられていない領域から透視でき」ることは、本願発明の「前記裏面側絵柄は、前記透明な遊技パネルの表面における前記表面側透明領域から透視可能であ」ることに相当する。
（ｇ）先願発明２の「第３裏面絵柄１６６はアクリル板５０の表面５０ａの第３表面絵柄５６が設けられていない領域から透視でき」ることから、第３裏面絵柄１６６とは、アクリル板５０の表面５０ａの第３表面絵柄５６が設けられていない領域から透視できる第３裏面絵柄１６６といえると共に、先願発明２の「駆動用モータ９５の駆動によって第３裏面絵柄１６６が回転移動する」ことは、駆動用モータ９５は、その駆動によって第３裏面絵柄１６６を回転移動させているから、先願発明２の「駆動用モータ９５の駆動によって第３裏面絵柄１６６が回転移動する」ことは、駆動用モータ９５は、アクリル板５０の表面５０ａの第３表面絵柄５６が設けられていない領域から透視できる第３裏面絵柄１６６を回転移動させることといえる。また、この先願発明２の第３裏面絵柄１６６を回転移動させることは、第３裏面絵柄１６６を回転移動させることでその見える様子を変化させているといえるから、本願発明の「前記後方装飾手段の装飾態様を変化させること」に相当し、上記（ｄ）において言及したように、先願発明２の「駆動用モータ９」は、本願発明の「装飾態様変更手段」に相当する。これらのことから、先願発明２の「駆動用モータ９５の駆動によって第３裏面絵柄１６６が回転移動する」ことは、本願発明の「前記装飾態様変更手段は、前記透明な遊技パネルにおける前記表面側透明領域を通して視認可能な前記後方装飾手段の装飾態様を変化させること」に相当する。
　また、先願発明２の「第３表面絵柄５６はアクリル板５０の厚みｔだけ第３裏面絵柄１６６と離れており、アクリル板５０の表面５０ａには第３表面絵柄５６が設けられ、裏面５０ｂには第２裏面絵柄６５および第３裏面絵柄１６６が設けられ」ることから、第３表面絵柄５６はアクリル板５０の厚みｔだけ第３裏面絵柄１６６と離れて位置しており、裏面５０ｂには第３裏面絵柄１６６の他に第２裏面絵柄６５も設けられており、「第３表面絵柄５６」と「第２裏面絵柄６５」と「第３裏面絵柄１６６」とは奥行きのある複数の装飾であるといえるので、先願発明２の「昼間の演出中は第３裏面絵柄１６６を移動させて影を出し、夜の演出中は第３裏面絵柄１６６を第３表面絵柄５６と重なる位置として影を出さないようにする」ことは、「第３表面絵柄５６」と「第２裏面絵柄６５」と「第３裏面絵柄１６６」とによる奥行きのある複数の装飾の見える様子に変化を与えているともいえる。このことから、先願発明２の「昼間の演出中は第３裏面絵柄１６６を移動させて影を出し、夜の演出中は第３裏面絵柄１６６を第３表面絵柄５６と重なる位置として影を出さないようにする」ことは、本願発明の「前記表面側絵柄と前記裏面側絵柄と前記後方装飾手段とによる奥行きのある複合装飾の視認態様に変化を与える」ことに相当する。
　したがって、先願発明２の「第３表面絵柄５６はアクリル板５０の厚みｔだけ第３裏面絵柄１６６と離れており、アクリル板５０の表面５０ａには第３表面絵柄５６が設けられ、裏面５０ｂには第２裏面絵柄６５および第３裏面絵柄１６６が設けられており、第３裏面絵柄１６６はアクリル板５０の表面５０ａの第３表面絵柄５６が設けられていない領域から透視でき、駆動用モータ９５の駆動によって第３裏面絵柄１６６が回転移動するよう構成され、昼間の演出中は第３裏面絵柄１６６を移動させて影を出し、夜の演出中は第３裏面絵柄１６６を第３表面絵柄５６と重なる位置として影を出さないようにする」ことは、本願発明の「前記装飾態様変更手段は、前記透明な遊技パネルにおける前記表面側透明領域を透して視認可能な前記後方装飾手段の装飾態様を変化させることによって、前記表面側絵柄と前記裏面側絵柄と前記後方装飾手段とによる奥行きのある複合装飾の視認態様に変化を与える」ことに相当する。
　上記（ａ）〜（ｇ）の検討より、本願発明と先願発明２とは、
「Ａ　表面を遊技球が流下可能であり、所定の厚みを有する透明な遊技パネルを備えた遊技機であって、
Ｂ　前記透明な遊技パネルの裏面側に設けられた後方装飾手段と、
Ｃ　前記後方装飾手段の装飾態様を変化させる装飾態様変更手段と、
　　を備え、
Ｄ　前記透明な遊技パネルの表面には、所定の表面側絵柄が付された表面側絵柄領域と、前記表面側絵柄が付されていない表面側透明領域とが設けられ、
Ｅ　前記透明な遊技パネルの裏面には、所定の裏面側絵柄が付された裏面側絵柄領域と、前記裏面側絵柄が付されていない裏面側透明領域とが設けられ、
Ｆ　前記裏面側絵柄は、前記透明な遊技パネルの表面における前記表面側透明領域、あるいは、前記透明な遊技パネルの切欠き端面から透視可能であり、
Ｇ　前記装飾態様変更手段は、前記透明な遊技パネルにおける前記表面側透明領域を透して視認可能な前記後方装飾手段の装飾態様を変化させることによって、前記表面側絵柄と前記裏面側絵柄と前記後方装飾手段とによる奥行きのある複合装飾の視認態様に変化を与える
　　遊技機。」
である点で一致し、両者の間に相違点はない。
　よって、本願発明は先願発明２と同一であり、しかも、本願発明の発明者がその先願発明２の発明者と同一ではなく、また本願の出願の時において、その出願人が上記先願の出願人と同一でもないので、本願発明は特許法第２９条の２の規定により、特許を受けることができない。
３．むすび
　以上のとおりであるから、本願発明は特許法第２９条の２の規定により、特許を受けることができない。
　よって、結論のとおり審決する。